(57)【特許請求の範囲】
【請求項１】
制振対象物に取り付けるケースの内部に、ばね部材を介して所定方向に往復移動可能にマス部材を収容してなるマスダンパであって、
前記ケースにおいてマス部材を収容する収容室が、当該マス部材の移動方向に延びる筒状の周壁を有し、
前記ばね部材は、前記周壁の筒軸方向に離間した２箇所においてそれぞれ、外周部が当該周壁に、また、内周部が前記マス部材に取り付けられた板ばねからなり、
前記周壁が、前記板ばねの取り付け位置を境に筒軸方向に３分割され、この分割された周壁部材の間に前記板ばねの外周部を挟持しており、
前記筒軸方向一端側の周壁部材と他端側の周壁部材との筒軸方向の長さが異なっていて、前記筒軸方向一端側及び他端側の周壁部材のうち長い一方の周壁部材が、他方の周壁部材と同じ長さの部材と、両者の長さの差分のスペーサ部材と、からなり、
該スペーサ部材は、前記周壁の筒軸方向一端側及び他端側のいずれかに介挿可能であって、その筒軸方向の長さは、筒軸方向を上下方向に向けて配置したときに前記マス部材の質量を受けて撓む前記板ばねの撓み量に対応している、ことを特徴とするマスダンパ。
【請求項２】
前記２つの板ばねは、薄板からなり、それぞれ環状に形成された内周部及び外周部と、それらの中間を周方向に延びて一端部が前記内周部に、また他端部が前記外周部にそれぞれ連続する複数の連繋部とからなり、
前記２つの板ばねが前記周壁の筒軸方向に見て互いに裏返しに配設されている、請求項１のマスダンパ。
【請求項３】
前記ケースには、その収容室内において前記マス部材を周壁の筒軸方向に往復動させ、その反力を当該ケースを介して制振対象物に作用させるようにアクチュエータが設けられている、請求項１又は２のいずれか１つのマスダンパ。
【請求項４】
前記アクチュエータが永久磁石を備えた電磁式のアクチュエータであり、その永久磁石が前記マス部材に一体的に取り付けられている、請求項３のマスダンパ。
【発明の詳細な説明】
【技術分野】
【０００１】
本発明は例えば精密機器等に取り付けて、その振動を減殺するためのマスダンパに関し、特にマス部材を収容するケースの構造に係る。
【背景技術】
【０００２】
従来よりこの種のマスダンパとして、例えば特許文献１に開示されているように、マス部材（可動質量）及びばね部材からなる付加振動系の固有振動数を制振対象物（構造体）に合わせて適切に調整し、その振動、特に共振を打ち消すような反力を発生させるようにしたもの（動吸振器）や、マス部材をアクチュエータにより駆動して、センサにより検出される対象物の振動を打ち消すような制御力を発生させるようにしたもの（アクティブ・マスダンパ、以下、ＡＭＤと略称する）が知られている。
【０００３】
また、本願の出願人は、空気ばね式の除振台上に載置した除振対象物にＡＭＤを取り付けて、簡易的にアクティブな除振制御を行うことについて既に特許出願をしている（特許文献２を参照）。この出願におけるＡＭＤの特徴は、段落００１５〜００１７に記載されているように、マス部材をその移動方向に或る程度以上、離れた２点で各々板ばねにより支持するとともに、その移動方向が上下方向になるようにして、即ち「立てて」使用する場合にマス部材の重量を支持するためのコイルバネを別途、設けたことにある。
【０００４】
これは、一般的にＡＭＤの性能を広い周波数域に亘って高めるためには、マス部材及びばね部材からなる付加振動系の固有振動数をできるだけ低くしたいところ、そのためにマス部材を重くし、板ばねを柔らかくすると、ＡＭＤを「立てて」使用するときにマス部材の重力による下方への変位が大きくなってしまうからである。このように大きな変位を見越してケースとのクリアランスを大きめに設定することは、ＡＭＤの小型化にとって好ましいことではない。
【先行技術文献】
【特許文献】
【０００５】
【特許文献１】特開２００２ー６１７０３号公報
【特許文献２】特開２００８−２６１４３１号公報
【発明の概要】
【発明が解決しようとする課題】
【０００６】
ところが、前記後者の従来例のようにコイルばねを追加する場合でも、ばね定数を十分に低くするために柔らかなコイルばねを用いるのであれば、その自由長がかなり長いものを用いなくてはならず、やはり小型化には不利になる。また、板ばねに加えてコイルばねを設けるのはコストの面でも好ましいことではない。
【０００７】
斯かる点に鑑みて本発明の目的は、「立てて」使用する場合でもマス部材とケースとの間に所要のクリアランスを容易に確保することができ、しかもそのケースの大型化を招くことのないマスダンパを提供することにある。
【課題を解決するための手段】
【０００８】
前記の目的を達成すべく本発明では、マスダンパを「立てた」ときに、板ばねの撓みによってマス部材が下方に変位することに対応して、このマス部材とケースとのクリアランスを簡単に調整できるように収容室の周壁を分割したものである。
【０００９】
すなわち、請求項１の発明は、制振対象物に取り付けるケースの内部に、ばね部材を介して所定方向に往復移動可能にマス部材を収容してなるマスダンパが対象であり、そのケースにおいてマス部材を収容する収容室が、当該マス部材の移動方向に延びる筒状の周壁を有し、前記ばね部材は、その周壁の筒軸方向に離間した２箇所においてそれぞれ外周部が当該周壁に、また内周部は前記マス部材に取り付けられた板ばねからなるものとする。
【００１０】
そして、前記収容室の周壁は、前記板ばねの取り付け位置を境に筒軸方向に３分割し、こうして分割した周壁部材の間に前記板ばねの外周部を挟持するとともに、筒軸方向一端側の周壁部材と他端側の周壁部材とでは筒軸方向の長さを異ならせ、前記筒軸方向一端側及び他端側の周壁部材のうち長い一方の周壁部材を、他方の周壁部材と同じ長さの部材と、両者の長さの差分のスペーサ部材と、で構成し、該スペーサ部材を周壁の筒軸方向一端側及び他端側のいずれかに介挿可能とし、その筒軸方向の長さを、筒軸を上下方向に向けて配置したときに前記マス部材の重量を受けて撓む前記板ばねの撓み量に対応付ける構成とした。
【００１１】
斯かるケースの構造によって前記のマスダンパにおいては、マス部材の収容室の周壁を板ばねの取り付け位置を境に３分割し、筒軸方向（マス部材の移動方向）両端側の２つの周壁部材の長さを所要量、異ならせているので、それらの位置を入れ替えることによってマス部材の移動方向の両端面と、これに対向する収容室の端壁面との間隔、即ちマス部材の移動方向におけるケースとのクリアランスを調整することができる。
【００１２】
具体的にはマスダンパを「立てて」、即ちマス部材の移動方向が略上下方向になるように、例えば筒軸方向一端側を下側にして配置するときには、この一端側に長い方の周壁部材を配置する。こうすると短い方の周壁部材との長さの差分だけ、周壁における板ばねの取付位置が高くなるから、その板ばねの撓みによってマス部材が下方に変位しても、当該マス部材の下端面と対向する収容室の下端壁面との間に所要のクリアランスを確保することができる。
【００１３】
尚、そのような作用を十分に得るためには長い方と短い方との周壁部材の長さの差分を、マス部材の重量を受けた板ばねの撓み量と略同じか或いはそれよりも少し長くすることが好ましいが、それよりも少しだけ短くても構わない。
【００１４】
一方で、前記のマスダンパを横倒しにしてマス部材の移動方向、即ちそれを収容する収容室の周壁の筒軸方向が略水平になるように配置するときには、その筒軸方向における前記一端側に短い方の周壁部材を配置すればよい。すなわち、このときには板ばねの撓みが生じないことから、前記のように「立てた」ときに比べると、マス部材の位置は周壁に対し相対的にその筒軸方向の他端側寄りになる。よって、この他端側に長い方の周壁部材を配置することにより、マス部材の他端面と対向する収容室の他端壁面とのクリアランスを適切なものとすることができる。
【００１５】
言い換えると、そうしてマスダンパを横倒しにした板ばねの撓みのない状態で、マス部材の両端面と対向する収容室の両端壁面との間隔が適値になるように、予め２つの周壁部材の長さを設定しておけばよく、そうすることで、前記のようにマスダンパを「立てた」ときも横倒しにしたときも、２つの周壁部材の位置を入れ替えるだけで簡単に、マス部材の移動方向におけるケースとのクリアランスを維持することができる。
【００１６】
また、マス部材の重さや板ばねの柔らかさを変更するときにも、スペーサ部材の長さを変えることで対応可能になるし、薄いスペーサ部材を幾つか準備しておけば、機器にマスダンパを取り付ける現場での調整も可能になる。部材の数が増えることに伴うコストの増大は、一端側及び他端側の周壁部材が共通化されることで抑制される。
【００１７】
また、前記のようなマスダンパに用いる板ばねの具体的な構造として、好ましいのは、薄板からなり、環状の内周部及び外周部と、それらの中間を周方向に延びて一端部が前記内周部に、また他端部が前記外周部にそれぞれ連続する複数の連繋部と、からなるものであり（請求項２）、このような構造の板ばねは、その撓みが比較的大きいときでも、周方向に長い連繋部に生じる歪みは比較的小さくなるから、耐久性を確保するのに有利である。
【００１８】
但し、そうした構造の板ばねではそれが撓むとともに捻れて、内周部及び外周部の間に捻れモーメントが生じることになるから、２つの板ばねを相互に裏返しに配設し、それぞれの捻れモーメントを相殺させることが好ましい。
【００１９】
また、前記のような構造を採用するマスダンパとして好ましいのは、所謂アクティブ・タイプのものであり、具体的にはそのケースに、収容室内において前記マス部材を周壁の筒軸方向に往復動させ、その反力を当該ケースを介して制振対象物に作用させるように、アクチュエータが設けられているものである（請求項３）。
【００２０】
すなわち、ＡＭＤの場合は付加振動系の固有振動数ができるだけ低くなるように、マス部材を重く、板ばねは柔らかくしたいところ、こうすると「立てた」ときの板ばねの撓みが大きくなりやすい。また、ＡＭＤはアクチュエータを内蔵する分、大型化しやすい。それ故にＡＭＤにおいて、前記した本発明の作用効果が特に有効なものとなるのである。
【００２１】
そうしてＡＭＤに本発明を適用するのであれば、アクチュエータとして永久磁石を備えた電磁式のアクチュエータを採用し、その永久磁石を前記マス部材に一体的に取り付けることが好ましい（請求項４）。こうすれば、アクチュエータの中で比較的質量の大きな永久磁石をマス部材の一部として利用することができ、小型化を図る上で有利になる。
【発明の効果】
【００２２】
以上、説明したように本発明に係るマスダンパによると、マス部材を収容するケースの周壁を、板ばねの取り付け位置を境に分割するとともに、マス部材の移動方向である筒軸方向の両端側の２つの周壁部材の長さを所要の長さ、異ならせているので、その２つの周壁部材を入れ替えることにより、マス部材の移動方向におけるケースとのクリアランスを簡単に調整することができる。よって、ケースの大型化を招くことなく、マスダンパを「立てて」使用する場合でも横倒しにする場合でも、適切なクリアランスを確保することができる。
【図面の簡単な説明】
【００２３】
【図１】本発明に係るＡＭＤの一使用態様を示す模式図である。
【図２】ＡＭＤの構造を示す拡大断面図である。
【図３】ＡＭＤを筒軸方向の一側から見てそのケース(a)と、内部のセンサ、マス部材、リニアモータ、板ばね等(b)と、をそれぞれ示す斜視図である。
【図４】軸線Ｘに沿って見た板ばねの単品図である。
【図５】ＡＭＤを「立てて」使用するときの図２相当図である。
【発明を実施するための形態】
【００２４】
以下、本発明の実施形態を図面に基づいて詳細に説明する。尚、以下の好ましい実施形態の説明は本質的に例示に過ぎず、本発明、その適用物或いはその用途を制限することを意図するものではない。
【００２５】
図１には、本発明に係るマスダンパの一使用態様を示し、図の例では走査型電子顕微鏡
（ＳＥＭ）である精密機器Ｄ（制振対象物）が除振台Ａの定盤ａ１上に載置され、その本体部分ｄ１から上方に延びる鏡塔ｄ２の頂部にマスダンパが配設されて、図示しないブラケット等により固定されている。図の例では除振台Ａは、機器Ｄの搭載される定盤ａ１を例えば３、４個の空気ばねユニットａ２，ａ２，…によって弾性的に支持する、所謂パッシブタイプのものである。
【００２６】
一方、マスダンパは所謂アクティブタイプのもので（以下、ＡＭＤと略称する）、そのケース１には一体的に加速度センサ２が配設され、これにより検出される機器Ｄの加速度（振動状態）を示す信号が、コントローラ３に入力されるようになっている。以下に説明するようにＡＭＤのケース１にはマス部材４及びリニアモータ５が収容されており、そのリニアモータ５がコントローラ３からの制御指令を受けて作動すると、マス部材４が往復駆動されて、その反力が機器Ｄに付加されるようになる。
【００２７】
機器ＤがＳＥＭである場合、その鏡塔ｄ２には構造的に水平方向の共振が生じやすく、これにより電子銃やレンズの位置が微妙にずれてしまうという問題がある。そこで、図示のように鏡塔ｄ２の頂部に、即ち、局所的に振幅の大きくなる箇所にＡＭＤを取り付け、これにより発生する制御力によって鏡塔ｄ２の揺れを抑えることにより、ＳＥＭの性能を十分に発揮させることができる。
【００２８】
−マスダンパの構造−
この例ではケース１はアルミ合金製であり、図２、３に拡大して示すように全体として図の左右方向に長い四角筒状で、その筒軸（軸線Ｘ）の方向に延びる断面矩形状の周壁１０と、その一端を閉じる矩形状のブロック１１と、他端を閉じる矩形状の蓋部材１２とによって、マス部材４及びリニアモータ５の収容室１ａを区画している。図３(a)にのみ示
すが、ケース１は、その４隅に軸線Ｘ方向の他端側から挿入された長尺のボルト１３，１３，…によって組み立てられている。また、筒軸方向一端（図２，３の左端）側の矩形ブロック１１には加速度センサ２が配設されている。
【００２９】
この加速度センサ２は、詳細は図示しないが、円筒状のハウジング内にその筒軸（図では軸線Ｘと合致）の延びる方向に移動可能に錘を収容するとともに、この錘の移動方向の一側に隣接させて圧電素子を配設したものであり、錘から受ける押圧力に応じて圧電素子の発生する電圧を増幅して出力する。加速度センサ２のハウジングはアルミ合金製であり、圧電素子を囲んで静電シールドを構成している。また、ハウジング外周の略中央には矩形状のフランジ２ａが形成されている。
【００３０】
そして、そのフランジ２ａが挿入されるように前記矩形ブロック１１には、軸線Ｘ方向の一側に開口する断面矩形状の収容孔１１ａが形成されるとともに、この収容孔１１ａの開口を塞ぐように一側から肉厚の矩形板１１ｂが組み付けられている。一方、矩形ブロック１１の他端面には収容孔１１ａに連通して、加速度センサ２のハウジングに対応する丸穴が開口しており、ここに一側から挿入された加速度センサ２の他端側がマス部材４及びリニアモータ５の収容室１ａに向かって突出している。そうして加速度センサ２を包含する矩形ブロック１１は厚肉に形成され、二重の静電シールドとして機能する。
【００３１】
一方でマス部材４は、その重量を確保しやすい鉄製であり、図２の他、図３(b)等にも示すように全体としては円柱状であるが、前記のように収容室１ａ内に突出する加速度センサ２の他端側を包囲するよう、軸線Ｘ方向の一側に開口する円形断面の凹部４ａを有している。この凹部４ａを取り囲む周壁の先端、即ち図の左端には締結リング４１がねじ留めされていて、後述する板ばね６の内周部を挟持している。また、マス部材４の反対側の端面（図の右端面）には、以下に述べるリニアモータ５のヨーク５０の一端面が接合され、ボルト４２により締結されている。
【００３２】
−リニアモータ−
リニアモータ５においては、前記のようにマス部材４と一体化されたヨーク５０等が被駆動側で、これが駆動側のボビン５１等と非接触状態で組み合わされており、それらの間に作用する電磁力によって軸線Ｘ方向に往復移動されるようになる。この例ではヨーク５０は鉄製であり、リニアモータ５のハウジングを兼ねて有底円筒状に形成され、軸線Ｘ方向の他側（図２の右側）に向かって開放している。
【００３３】
そうして軸線Ｘ方向の他側に向かって開放するヨーク５０の筒壁部の先端、即ち図２の右端には締結リング５２がねじ留めされていて、後述する板ばね６の内周部を挟持している。すなわち、この実施形態では、前記のように一体化されているマス部材４とヨーク５０とが、軸線Ｘ方向に離れた２枚の板ばね６，６によってケース１の周壁１０（収容室１ａの周壁）に取り付けられており、軸線Ｘ方向に移動可能に、また、軸線Ｘに直交する方向には殆ど移動しないようになっている。
【００３４】
また、前記ヨーク５０の筒壁部内には円盤状の磁石５３とポールピース５４とが同軸状に配設されて、ヨーク５０の底部にその中央を貫通するボルト５５によって取り付けられている。このヨーク５０の底部には、磁石５３及びポールピース５４を囲むよう周方向に間隔を空けて複数のねじ穴が形成され、ここには前記のようにマス部材４と締結するためのボルト４２，…がねじ込まれている。
【００３５】
前記磁石５３及びポールピース５４は該略同径で且つ同程度の厚みを有する比較的厚肉の円盤状であり、それを外周側から包囲するボビン５１の筒壁部との間には所定のクリアランスが確保されている。すなわち、駆動側のボビン５１は樹脂材によって、軸線Ｘ方向一側（図の左側）に開口する有底円筒状に形成され、その筒壁部に電線が巻き付けられて電磁コイル５６が構成されている。この筒壁部が磁石５３及びポールピース５４を外周側から包囲するとともに、それ自体は外周側からヨーク５０の筒壁部に包囲されている。
【００３６】
また、ボビン５１の底壁部は、図の例では比較的厚肉の円盤状とされ、その軸線Ｘ方向の端面（図の右端面）には円形の台座部が形成されて、円柱状の中間部材５７を介してケース１の蓋部材１２にねじ留めされている。つまり、リニアモータ５において駆動側であるボビン５１がケース１の蓋部材１２に固定されており、被駆動側にあるヨーク５０、磁石５３及びポールピース５４を含めてマス部材４を軸線Ｘ方向に駆動し、その反力（制御力）をケース１に伝えるようになっている。
【００３７】
そうしてリニアモータ５の被駆動側（ヨーク５０、磁石５３及びポールピース５４）が締結リング５２と共にマス部材４に一体化されているため、ＡＭＤの振動系におけるマス（質量）を確保しやすい。そうして一体化されているヨーク５０、磁石５３及びポールピース５４に２つの締結リング４１，５２も含めて、以下、この実施形態では「マス部材４等」或いは単に「マス」とも呼ぶものとする。
【００３８】
そして、一般にＡＭＤにおいてはマスが大きく、ばねが柔らかいほどに固有振動数が低くなって、制御力によるアクティブ制振の効果が広い周波数域に亘って得られるようになるから、この実施形態では前記のようにしてマスの質量をできるだけ大きくするとともに、これをケース１に対して軸線Ｘ方向に移動可能に取り付ける板ばね６，６は、できるだけ柔らかなものとなるよう、以下のように構成している。
【００３９】
すなわち、この実施形態では板ばね６は薄板をプレス成型したもので、マスの移動方向である軸線Ｘ方向に見て図４に示すように、その外形が正方形状とされ、中央に丸穴６ａが開口している。この丸穴６ａを取り囲む板ばね６の内周部は円環状で、マス部材４又は
ヨーク５０と締結リング４１，５２との間に挟持されて、マス部材４等に取り付けられる。板ばね６の内周部には周方向に略等間隔を空けて、マス部材４又はヨーク５０と締結リング４１，５２とを連結するねじの挿入孔６ｂ，６ｂ，…が形成されている。
【００４０】
一方、板ばね６の外周部にはその４隅においてそれぞれ、ケース１を組み立てるためのボルト１３の挿入孔６ｃ，６ｃ，…が形成されており、以下に述べるようにケース１の周壁１０を分割した周壁部材１０ａ，１０ｂ，１０ｃの間に挟持されて、ケース１の周壁１０に取り付けられる。
【００４１】
そうしてマス部材４等及びケース周壁１０にそれぞれ取り付けられる板ばね６の内周部及び外周部の中間には、概ね円周方向に延びていて一端部が前記内周部に、また他端部が前記外周部にそれぞれ連繋する３つの連繋部６ｄ，６ｄ，…が周方向に略等間隔に形成されている。板ばね６が軸線Ｘ方向に撓むときに、３つの連繋部６ｄ，６ｄ，…はそれぞれの長手方向に撓むことになるので、板ばね６の撓み量が大きくても、連繋部６ｄ，６ｄ，…に生じる歪みは比較的小さくて済み、その耐久性を確保する上で有利な構造と言える。
【００４２】
一方で、そうして板ばね６が軸線Ｘ方向に撓むときには、その軸線Ｘの周りに内周部及び外周部が相互に捻れてモーメントを生じることになるが、この実施形態では、図３(b)に示すように２つの板ばね６，６が、軸線Ｘ方向に見て相互に裏返しになるように配設されており、このことで、それぞれの捻れモーメントが相殺されるようになる。
【００４３】
−ケース周壁の分割構造−
次に、この実施形態の主たる特徴であるＡＭＤのケース１の構造、特にその周壁１０の分割構造について説明する。図２に明らかなように、マス部材４やリニアモータ５の収容室１ａは、軸線Ｘ方向に延びる周壁１０の一端（図の左端）が矩形ブロック１１により閉ざされる一方、他端（図の右端）は蓋部材１２により閉ざされている。
【００４４】
そして、図２の他、図３(a)にも示すように周壁１０は、２つの板ばね６，６がそれぞれ取り付けられる位置を境に軸線Ｘ方向に３つの周壁部材１０ａ，１０ｂ，１０ｃに分割され、さらに、図示のようにＡＭＤを横倒しにするときには、軸線Ｘ方向の他端（図２，３(a)の右端）、即ち周壁１０と蓋部材１２との間にスペーサ部材１０ｄが介挿されるようになっている。
【００４５】
そうして分割された３つの周壁部材１０ａ〜１０ｃのうち、軸線Ｘ方向の一端側及び他端側のもの、即ち一端側の周壁部材１０ａと他端側の周壁部材１０ｃとは同じものである。また、これらに挟まれる周壁部材１０ｂは軸線Ｘ方向に長く、図の例ではマス部材４及びヨーク５０を合わせたのと略同じ長さを有している。さらに、スペーサ部材１０ｄの軸線Ｘ方向の長さは、軸線Ｘを上下方向に向けて、即ちＡＭＤを「立てて」使用するときに（図５を参照）、マス部材４等の重量を受けて撓む板ばね６，６の下方への撓み量に相当するものとされている。
【００４６】
斯かる構造により、この実施形態では前記スペーサ部材１０ｄの介挿する位置を、軸線Ｘ方向の一端側、他端側のいずれかに入れ替えることで、以下に述べるようにマス部材４等の軸線Ｘ方向の両端（具体的には、一端側の締結リング４１及び他端側の締結リング５２のそれぞれの外端）と、これに対向する収容室１ａの端壁面（具体的には、矩形ブロック１１及び蓋部材１２のそれぞれが収容室１ａに臨む面）との間隔、即ちマス部材４等の移動方向におけるケース１とのクリアランスを容易に調整することができる。
【００４７】
すなわち、前記した図２のようにＡＭＤを横倒しにして、マス部材４等の移動方向である軸線Ｘが水平になるように配置するとき、マス部材４等の重量は板ばね６，６に対し略平行に作用することになるので、中立位置において撓みが生じることはない。そこで、この状態では図示のように軸線Ｘ方向の他端にスペーサ部材１０ｄを介挿し、このときにマス部材４等の両端とそれぞれ対向する収容室１ａの両端壁面との間隔が適値になるように、予め各周壁部材１０ａ〜１０ｃ及びスペーサ部材１０ｄの寸法を設定しておく。
【００４８】
そして、図５に示すようにＡＭＤを「立てて」、即ち軸線Ｘ方向の一端側が下側になって、軸線Ｘが略上下方向を向くようにして配置すると、マス部材４等の重量を受けて板ばね６，６が撓み、マス部材４等が下方に、即ち軸線Ｘ方向の一端側に変位することになるが、このときにはスペーサ部材１０ｄを入れ替えて、図示のように周壁１０の一端、矩形ブロック１１との間に介挿する。
【００４９】
そうすると、そのスペーサ部材１０ｄの分、即ち、マス部材４等の重量を受けて板ばね６，６の撓む分量だけ、周壁１０における板ばね６，６の取付位置が高くなるから、前記のように板ばね６，６の撓みによってマス部材４等が下方に変位しても、このマス部材４等の下端（締結リング４１の一端）と対向する収容室１ａの下端壁面（矩形ブロック１１の他端面）との間隔は、前記横倒しにしたとき（図２参照）と同じ適切なクリアランスに保たれるのである。
【００５０】
したがって、この実施形態に係るＡＭＤによると、上述したようにマス部材４等を収容するケース１の周壁１０を分割して、その軸線Ｘ方向の一端側、他端側のいずれかに所定寸法のスペーサ部材１０ｄを介挿するようにしたので、ＡＭＤを「立てて」使用するときと横倒しにするときとの双方で、スペーサ部材１０ｄの介挿位置を入れ替えるだけで簡単に、また、ケース１の大型化を招くことなく、マス部材４等の移動方向におけるケース１とのクリアランスが適切なものとなる。
【００５１】
そのスペーサ部材１０ｄの厚み（軸線Ｘ方向の長さ）を変更すれば、マス部材４等の重さや板ばね６の柔らかさが変わっても対応可能である。具体的にスペーサ部材１０ｄの厚みは、前記したようにマス部材４等の重量を受けた板ばね６，６の撓み分とするか、これよりも少し長くすることが好ましいが、少しだけなら短くてもよい。また、薄いスペーサ部材を幾つか準備しておけば、機器ＤにＡＭＤを取り付ける現場での調整も可能になる。
【００５２】
そのような発明の効果は、実施形態のようなＡＭＤに限らずパッシブ・タイプのマスダンパでも得られるが、ＡＭＤの場合は、その振動系の固有振動数をできるだけ低くしたいという要求があり、そのためにマス部材４等を重くし、板ばね６を柔らかくすれば、自ずと「立てて」使用するときのマス部材４等の変位が大きくなりやすい。しかも、ＡＭＤはリニアモータ５等を内蔵するため大型化しやすい。よって、大型化を招くことなく、マス部材４等とケース１とのクリアランスを確保できる、という発明の効果はＡＭＤにおいて特に有効なものと言える。
【００５３】
尚、この実施形態ではＡＭＤの周壁１０を分割するとともに、スペーサ部材１０ｄを介挿するようにしているが、これに限るものではなく、例えば周壁部材１０ａ、１０ｃの軸線Ｘ方向の長さをスペーサ部材１０ｄの分、異ならせ、ＡＭＤを「立てて」使用するときと横倒しにして使用するときとで、それらを入れ替えるようにしてもよい。
【００５４】
また、この実施形態のＡＭＤには、機器Ｄの振動状態を検出するための加速度センサ２が備えられているが、これはＡＭＤとは別に例えば機器Ｄに直接、配置することもできる。振動状態を検出するためのセンサは加速度センサ２に限らず、例えば速度センサや変位センサを用いることもできる。
【００５５】
さらに、ＡＭＤを取り付ける制振対象物はＳＥＭでなくてもよいのは勿論であり、これを空気ばね式の除振台Ａ上に載置することにも限定されない。除振台Ａの空気ばねユニットａ２，ａ２，…は、除振対象物にその振動を減殺するような制御力を付加するアクチュエータとして用いることもできる。
【産業上の利用可能性】
【００５６】
本発明は、機器等の振動を抑制するためのマスダンパの小型化、低コスト化に貢献するものであり、産業上の利用可能性は高い。
【符号の説明】
【００５７】
Ｄ      機器（制振対象物）
Ｘ      軸線（ケースの筒軸）
１      ＡＭＤのケース
１ａ    マス部材等の収容室
１０  周壁
１０ａ〜１０ｃ    周壁部材
１０ｄ    スペーサ部材
２      加速度センサ
３      コントローラ
４      マス部材
５      リニアモータ（電磁式アクチュエータ）
５３  磁石
６      板ばね
６ｄ    連繋部
【図１】
0005439082.tif 000002
【図２】
0005439082.tif 000003
【図３】
0005439082.tif 000004
【図４】
0005439082.tif 000005
【図５】
0005439082.tif 000006